(57)【要約】【課題】ペットに対する飼い主の愛情を表現し、悲しみの心を癒すことができる、新しいセレモニーグッズ、ペット用棺桶を提供する。【解決手段】ペットの死骸を収容する棺桶本体１と、棺桶本体の内部の少なくとも三壁面１２，１３，１４に沿って装着される花立て構造体２とを有し、花立て構造体の少なくとも一部は板状紙を折り曲げた筒状構造体２４とされ、造花３の茎３１を差し込む差込部２２，２３が複数形成され、かつ造花の茎を差し込んだ際に造花が棺桶本体内に収納される位置に装着されている。【選択図】  図１
2005229819.tif 000002
【特許請求の範囲】
【請求項１】
ペットの死骸を収容する棺桶本体と、前記棺桶本体の内部の少なくとも三壁面に沿って装着される花立て構造体とを有し、
前記花立て構造体の少なくとも一部は板状紙を折り曲げた筒状構造体とされ、造花の茎を差し込む差込部が複数形成され、かつ前記造花の茎を差し込んだ際に造花が棺桶本体内に収納される位置に装着されていることを特徴とするペット用棺桶。
【請求項２】
前記差込部は、前記花立て構造体を前記棺桶本体に装着したときの上面及び下面それぞれの貫通位置に形成され、上面の第１差込部は前記造花の茎の直径より大径とされ、下面の第２差込部は十字状の切り込みとされていることを特徴とする請求項１記載のペット用棺桶。
【請求項３】
前記花立て構造体の一部は板状紙を折り曲げた筒状構造体とされ、その他の部分は板状紙の脚部であって当該脚部の下端が前記棺桶本体の底面に当接した状態で前記花立て構造体が前記棺桶本体の内部に装着されることを特徴とする請求項１又は２に記載のペット用棺桶。
【請求項４】
前記花立て構造体の全部が板状紙を折り曲げた筒状構造体とされ、当該花立て構造体は前記棺桶本体の内部に接着されることを特徴とする請求項１又は２に記載のペット用棺桶。
【請求項５】
ペット用棺桶に用いられる、リング状かつ断面が半円状の胴体部を有する花立てであって、前記胴体部の側面に造花の茎を差し込む差込部が複数形成されていることを特徴とする花立て。
【請求項６】
前記胴体部で囲まれる中央部分に、ペットの写真、名札又はペットへのメッセージカードを挿入するポケットが形成されていることを特徴とする請求項５記載の花立て。
【発明の詳細な説明】
【技術分野】
【０００１】
本発明は、犬や猫などのペット（愛玩動物）を火葬又は埋葬するための棺桶およびこれに用いられる花立てに関する。
【背景技術】
【０００２】
犬や猫などのペットも人間と同じように棺桶に入れて火葬したり埋葬したりされる。これまで、ペットに対する飼い主の愛情を示すためにいくつかのペット用棺桶が提案されているが、何れも棺桶そのものを複雑な構造品で飾り付けたりするものであることから、高価な棺桶となったり、複雑で生産性の悪い棺桶となっていた。
【０００３】
また、葬式を行う場所と火葬または埋葬する場所が異なる場合には、葬式を行った後に複数の棺桶を積み重ねて火葬場または埋葬場に運搬することが行われるが、棺桶の外部、特に上面に花立てなどが設けられていると棺桶を積み重ねることができないといった不都合があった。
【特許文献１】特開平７−２８９１１０号公報
【特許文献２】特開平１０−９８９６７号公報
【発明の開示】
【０００４】
本発明は、棺桶自体は単純な箱を用い、棺桶の内部に花立てを設けること又は着脱可能な花立てを装着することで、ペットに対する飼い主の愛情を表現し、心を癒すことができるペット用棺桶およびこれに用いられる花立てを提供することを目的とする。
上記目的を達成するために、本発明のペット用棺桶は、ペットの死骸を収容する棺桶本体と、前記棺桶本体の内部の少なくとも三壁面に沿って装着される花立て構造体とを有し、前記花立て構造体の少なくとも一部は板状紙を折り曲げた筒状構造体とされ、造花の茎を差し込む差込部が複数形成され、かつ前記造花の茎を差し込んだ際に造花が棺桶本体内に収納される位置に装着されていることを特徴とする。
【０００５】
本発明において、前記差込部は、前記花立て構造体を前記棺桶本体に装着したときの上面及び下面それぞれの貫通位置に形成し、上面の第１差込部は前記造花の茎の直径より大径とし、下面の第２差込部は十字状の切り込みとすることがより好ましい。
【０００６】
本発明において、前記花立て構造体の一部は板状紙を折り曲げた筒状構造体とし、その他の部分は板状紙の脚部であって当該脚部の下端が前記棺桶本体の底面に当接した状態で前記花立て構造体が前記棺桶本体の内部に装着することがより好ましい。
【０００７】
またはこれに代えて、前記花立て構造体の全部を、板状紙を折り曲げた筒状構造体とし、当該花立て構造体は前記棺桶本体の内部に接着することがより好ましい。
【０００８】
本発明において、ペット用棺桶に用いられる、リング状かつ断面が半円状の胴体部を有する花立てであって、前記胴体部の側面に造花の茎を差し込む差込部が複数形成されていることを特徴とする花立てを用いることもできる。
【０００９】
この場合、前記胴体部で囲まれる中央部分に、ペットの写真、名札又はペットへのメッセージカードを挿入するポケットを形成することがより好ましい。
【００１０】
本発明では、花立て構造体をペットの死骸を入れた棺桶本体の内部の少なくとも三壁面に沿って装着し、花立て構造体の差込部に造花の茎を差し込み、この状態でペットの火葬や埋葬を行う。花立て構造体に造花を差し込むことで、ペット用棺桶がより艶やかになり、ペットに対する飼い主の愛情がより表現され、飼い主の心が癒される。また、花立て構造体に造花を差し込んでも、そのまま棺桶を閉棺できるので、複数の棺桶を積み重ねて搬送するのにも支障がない。
【００１１】
さらに、閉棺した後に造花を差し込んだリング状の花立てを棺桶の上面や側面に装着し、ポケットにペットの写真、ペットの名札または飼い主からペットに対するメッセージを記載したメッセージカードを入れれば、出棺にあたっても華やかにペットを見送ってあげることができる。
【発明の実施の形態】
【００１２】
以下、本発明の実施形態を図面に基づいて説明する。  
図１は本発明の実施形態に係るペット用棺桶を示す分解斜視図、図２は本発明の実施形態に係るペット用棺桶の組み立て状態を示す一部破断斜視図、図３は本発明の実施形態に係る花立て構造体を示す展開図、図４は本発明の実施形態に係る花立て構造体の差込部を示す拡大斜視図、図５は本発明の実施形態に係るペット用棺桶の断面図、図６は本発明の他の実施形態に係る花立てをペット用棺桶に装着した状態を示す斜視図、図７は本発明の他の実施形態に係る花立てを示す正面図、図８は本発明の他の実施形態に係る花立てを示す断面図である。
【００１３】
本実施形態において、ペットの死骸を収容する棺桶本体１は、図１に示すように、４つの壁面１１，１２，１３，１４、底面１５及び頂面１６を有するダンボール箱から構成することができ、底面１５及び頂面１６は四辺それぞれに設けられた蓋片１６ａ（図１には頂面１６のみこの様子を示すが、底面１５についても同様の構成とされている。）が互いに重ね合わされるようにして構成されている。
【００１４】
棺桶本体１は、ペットの大きさに応じて、たとえば小さいペット用の棺桶として縦１５ｃｍ×横７．５ｃｍ×高さ５ｃｍまたは縦５４ｃｍ×横３６ｃｍ×高さ２２ｃｍのものを、中位のペット用の棺桶として縦７０ｃｍ×横５２ｃｍ×高さ２３ｃｍのものを、大きいペット用の棺桶として縦９２ｃｍ×横６１ｃｍ×高さ３２ｃｍのものを、それぞれ使用することができる。ただし、これら具体的数値は本発明を限定するものではない。
【００１５】
棺桶本体１の表面に印刷などの装飾を施すこともできるが、無装飾のダンボール箱を棺桶本体１として使用し、別途印刷などで装飾したクロスを使用することで、棺桶本体１を安価かつ作製を容易とし、トータルコストを低減することもできる。
【００１６】
本実施形態に係る花立て構造体２は、図１示すように上述したダンボール箱からなる棺桶本体１の内部の三壁面１２，１３，１４に沿って挿入される。この花立て構造体２は、図３に展開図で示すように、板状紙２´の２箇所に切り込み２１´を形成するとともに、後述する造花３の茎３１を差し込むための差込部２２，２３を形成したのち、図示する点線部分を折り曲げることにより、図１に示す花立て構造体２とされる。なお、折り曲げて筒状構造体とする先端は両面テープなどを用いて接着することが望ましいが、造花３の茎３１を差込部２２，２３に差し込めば筒状構造体はその形状を維持するので接着を省略することも可能である。
【００１７】
本例の花立て構造体２は、造花３の茎３１を差し込むための差込部２２，２３が形成された筒状構造体の部分２４と、この筒状構造の部分２４から連続した脚部２５とを有し、この脚部２５の高さＨは、花立て構造体２を棺桶本体１の底面１５に接するまで挿入したときに上部に高さｈが形成され、この高さｈは造花３の茎３１を差込部２２，２３に差し込んだ際に蓋片１６ａと干渉しない寸法とされている。したがって、花立て構造体２を棺桶本体１に挿入する作業がきわめて容易になり、花立て構造体２の装着位置も正確に決まる。
【００１８】
また、本例の花立て構造体２は、図３に示す板状紙２´に切り込み２１´を形成し、その間を折り曲げて筒状構造体の部分２４を形成するので、３つの筒状構造体が接するコーナー部は内側に向かって撓むことなくどちらかといえば外側に向かって反り返ろうとする。したがって、このような花立て構造体２を棺桶本体１の三壁面１２，１３，１４に沿って挿入すると、接着剤等の接合手段を用いなくとも棺桶本体１の壁面に沿って装着されることになる。
【００１９】
図４は花立て構造体２の筒状構造体の部分２４に形成された差込部を示す拡大斜視図であり、本例の差込部は、上側に位置する第１差込部２２と下側に位置する第２差込部２３から構成されている。第１差込部２２は、造花３の茎３１の直径より大径とされた丸孔とされ、第２差込部２３は、十字状の切り込み（スリット）とされている。第１差込部２２は茎３１の直径がたとえば２ｍｍであれば、直径が５ｍｍ程度の丸孔で構成することが好ましく、また第２差込部２３は図示する十字状の切り込みは勿論のことそれ以上の切り込みで構成することも均等の範囲内である。
【００２０】
上側の第１差込部２２を造花３の茎３１の直径より大径とすることで，造花３を差し込む際の作業性が向上し、また下側のだ２差込部２３を十字状の切り込みとすることで造花３の茎３１をしっかりと固定することができる。
【００２１】
本例の花立て構造体２を棺桶本体１に挿入することにより、造花３が棺桶本体１の内部に収納されるので、葬儀中においては蓋片１６ａを開けてペットとの別れを惜しむことができ、葬儀が終わって火葬または埋葬する場合には、閉棺して複数の棺桶を積み重ねることができるので運搬に支障をきたすこともない。
【００２２】
また、棺桶本体１、花立て構造体２及び造花３を全て紙製物品とすることで火葬に際しても環境上問題はない。
【００２３】
ちなみに、図１に示す花立て構造体２において、脚部２５を省略した、筒状構造体の部分２４のみの花立て構造体２を採用することもできる。この場合には、花立て構造体２を棺桶本体１の内部の壁面１２，１３，１４に両面テープや接着剤などを用いて接着すれば良い。
【００２４】
また、図１に示す花立て構造体２は、棺桶本体１の三壁面１２，１３，１４に沿って装着したが、本発明はこれにのみ限定されることなく全ての壁面１１，１２，１３，１４に沿って装着することも、何れかの二壁面に沿って装着することもできる。
【００２５】
なお、棺桶本体１の蓋片１６ａを閉棺して火葬または埋葬する際に、棺桶を積み重ねる必要がない場合には、下記に説明する花立て４を用いてさらにペットの霊を弔うこともできる。
【００２６】
図７は本発明の他の実施形態に係る花立て４を示す正面図、図８は同じく断面図、図６はこの花立て４を棺桶に装着した状態を示す斜視図である。
【００２７】
図７に示す花立て４は、リング状かつ断面が半円状の胴体部４１を有する花立てであって、たとえばポリウレタンなどのプラスチック成形体または紙製成形体で構成することができる。この胴体部４１の側面には、造花３の茎３１を差し込むための差込部４２が複数形成されている。
【００２８】
また、胴体部４１で囲まれる中央部分には、プラスチックフィルムなどで形成されたポケット４３が設けられ、ペットの写真、ペットの名札あるいはペットへの別れのメッセージを書いたメッセージカード４４などが挿入できるようになっている。このようなポケット４３は、たとえば透明なセロファンシートを接着剤や熱融着により花立て４の胴体部４１の裏面に貼り付けることで構成される。
【００２９】
このように、本実施形態の花立て４を用いると、愛するペットの葬儀が艶やかなものとなり、飼い主の沈んだ気持ちを癒すことができる。特に、棺桶自体は汎用のダンボール箱を用いるので安価なものとなり、また製作も容易となる。
【００３０】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００３１】
【図１】本発明の実施形態に係るペット用棺桶を示す分解斜視図である。
【図２】本発明の実施形態に係るペット用棺桶の組み立て状態を示す一部破断斜視図である。
【図３】本発明の実施形態に係る花立て構造体を示す展開図である。
【図４】本発明の実施形態に係る花立て構造体の差込部を示す拡大斜視図である。
【図５】本発明の実施形態に係るペット用棺桶の断面図である。
【図６】本発明の他の実施形態に係る花立てをペット用棺桶に装着した状態を示す斜視図である。
【図７】本発明の他の実施形態に係る花立てを示す正面図である。
【図８】本発明の他の実施形態に係る花立てを示す断面図である。
【符号の説明】
【００３２】
１…棺桶本体
２…花立て構造体
３…造花
４…花立て
【図１】
2005229819.tif 000003
【図２】
2005229819.tif 000004
【図３】
2005229819.tif 000005
【図４】
2005229819.tif 000006
【図５】
2005229819.tif 000007
【図６】
2005229819.tif 000008
【図７】
2005229819.tif 000009
【図８】
2005229819.tif 000010